(57)【要約】【課題】浄化槽用ブロワの外部に伝わる上方向への騒音を低減した浄化槽用ブロワを提供すること。【解決手段】タンク４２をコンプレッサ２０の上方面の少なくとも一部覆うように配置し、浄化槽用ブロワ１０の中で一番の音源であるコンプレッサ２０から発生する上方向への騒音をタンク４２で遮音する。その結果、浄化槽用ブロワ１０の外部に伝わる上方向への騒音が低減される。【選択図】図２
2018159365.tif 000002
【特許請求の範囲】
【請求項１】
空気を圧縮するためのコンプレッサと、
該コンプレッサにより圧縮された空気が流入するように、該コンプレッサと連通するタンクと、
該コンプレッサを覆うケーシングと、を備え、
該タンクは、該コンプレッサの上方面の少なくとも一部を覆うように配置された、浄化槽用ブロワ。
【請求項２】
該タンクは、該コンプレッサの上方面の全面を覆うように配置された、請求項１に記載の浄化槽用ブロワ。
【請求項３】
該タンクは、該タンクの内部に防音材をさらに備えた、請求項１又は請求項２に記載の浄化槽用ブロワ。
【請求項４】
該タンクと該コンプレッサとの接続部に、ガスケットを備えた、請求項１乃至３のいずれか一項に記載の浄化槽用ブロワ。
【請求項５】
該タンクは、該コンプレッサと該タンクとの連通部が圧入され、該コンプレッサと該タンクとが直接接触するよう配置された、請求項１乃至３のいずれか一項に記載の浄化槽用ブロワ。
【発明の詳細な説明】
【技術分野】
【０００１】
本発明は、浄化槽に空気を送るためのエア源となる浄化槽用ブロワに関する。
【背景技術】
【０００２】
このような浄化槽用ブロワでは、通常、メンテナンス性や空気の流動性、組立性、部品コスト等を考慮し、空気を圧縮するコンプレッサの側方面または下方面にタンクが配置されるようになっている。特許文献１及び特許文献２では、タンクはそれぞれコンプレッサの側方面、下方面に配置されている。また、浄化槽用ブロワの騒音レベルは、ＪＩＳ  Ｂ  ８３４６”送風機及び圧縮機−騒音レベル測定方法”に基づき、測定点の高さを１ｍとし、騒音測定用マイクロホンから浄化槽用ブロワのケーシング表面までの距離を１ｍとして側方面４方向で測定されるものがある。
【先行技術文献】
【特許文献】
【０００３】
【特許文献１】特許第５７１２１６１号公報
【特許文献２】特許第３９１５９１７号公報
【発明の概要】
【発明が解決しようとする課題】
【０００４】
通常、浄化槽用ブロワは人間の足元付近の高さに設置されるため、側方に伝わる音よりも上方に伝わる音の方が人間の聴覚には影響してくる。そのため、ＪＩＳに基づき測定した場合でも、騒音レベルが高いとの測定結果が得られた浄化槽用ブロワよりも騒音レベルが低いとの測定結果が得られた浄化槽用ブロワのほうが実際にはうるさく聞こえることがある。浄化槽用ブロワの中でコンプレッサが一番の音源となるが、従来の構造だとコンプレッサから発生した騒音の上方面への遮音部材はケーシング程度であり、浄化槽用ブロワの上方向への騒音については十分な対策が講じられていなかった。
【０００５】
本発明は、浄化槽用ブロワの外部に伝わる上方向への騒音を低減した浄化槽用ブロワを提供することを目的とする。
【課題を解決するための手段】
【０００６】
すなわち本発明は、
空気を圧縮するためのコンプレッサと、
該コンプレッサにより圧縮された空気が流入するように、該コンプレッサと連通するタンクと、
該コンプレッサを覆うケーシングと、を備え、
該タンクは、該コンプレッサの上方面の少なくとも一部を覆うように配置された、浄化槽用ブロワを提供する。
【０００７】
当該浄化槽用ブロワにおいては、タンクがコンプレッサの上方面の少なくとも一部を覆うように配置されている。これにより、コンプレッサから発生した音がタンクで遮音され、浄化槽用ブロワの外部に伝わる上方向への騒音を低減している。
【０００８】
具体的には、該タンクは、該コンプレッサの上方面の全面を覆うように配置することができる。
【０００９】
より具体的には、該タンクは、該タンクの内部に防音材をさらに備えることができる。
【００１０】
また具体的には、該タンクと該コンプレッサとの接続部に、ガスケットを備えることができる。
【００１１】
さらに具体的には、該タンクは、該コンプレッサと該タンクとの連通部が圧入され、該コンプレッサと該タンクとが直接接触するよう配置することができる。
【００１２】
以下、本発明に係る浄化槽用ブロワの実施形態を添付図面に基づき説明する。
【図面の簡単な説明】
【００１３】
【図１】本発明の第１の実施形態に係る浄化槽用ブロワの正面部分断面図である。
【図２】図１の浄化槽用ブロワの側面断面図である。
【図３】本発明の第２の実施形態に係る浄化槽用ブロワの正面部分断面図である。
【図４】図３の浄化槽用ブロワの側面断面図である。
【図５】本発明の第３の実施形態に係る浄化槽用ブロワの正面部分断面図である。
【図６】図５浄化槽用ブロワの側面断面図である。
【図７】本発明の第４の実施形態に係る浄化槽用ブロワの正面部分断面図である。
【図８】図７浄化槽用ブロワの側面断面図である。
【発明を実施するための形態】
【００１４】
本発明の第１の実施形態に係る浄化槽用ブロワ１０は、図１及び２に示すように、空気を圧縮するためのコンプレッサ２０と、このコンプレッサ２０によって圧縮された空気が流入するようにコンプレッサ２０と連通したタンク４２と、コンプレッサ２０とタンク４２とを覆うケーシング１２と、を備えている。浄化槽用ブロワ１０の接地部分を備える４本の防振ゴム３０は、ケーシング１２と、コンプレッサ２０と、タンク４２とを別々の高さ位置で固定して、ケーシング１２と、コンプレッサ２０と、タンク４２とがそれぞれ接触しないようにしている。
【００１５】
コンプレッサ２０は、外部ＡＣ電源からＡＣプラグ６４を通じて電力が供給されると駆動し、コンプレッサ２０内部に備えられた可動鉄心２６と一体のピストン２４が電磁往復動を行うことで空気を運搬、圧縮する。コンプレッサ２０が駆動すると、空気はケーシング１２の外部よりフィルタ１６を通過してケーシング１２内へと流入し、コンプレッサ２０内に吸引される。コンプレッサ２０により空気が圧縮され、その圧縮された空気はコンプレッサ２０内部からタンク４２へと流動し、接続管５０を通りケーシング吐出口１４から吐出される。コンプレッサ２０とタンク４２の接続部には、気密性を向上させるためにガスケット４８が備えられている。
【００１６】
タンク４２は、コンプレッサ２０の上方面を全面覆うように配置されている。そのため、コンプレッサ２０から発生した上方向への音はタンク４２によって遮音される。また、タンク４２の上方面に鉄板６０を配置することで、上方向への遮音性をさらに向上させている。鉄板６０は、タンク４２中央にあけている貫通穴を利用しねじ６２により固定されている。
【００１７】
このように当該浄化槽用ブロワ１０においては、コンプレッサ２０から発生した上方向の音がタンク４２によって遮音されるため、浄化槽用ブロワ１０の外部に伝わる上方向への騒音が低減される。
【００１８】
図３及び図４に示す本発明の第２の実施形態に係る浄化槽用ブロワ７０は、タンク７２がコンプレッサ２０の上方面を全面覆っていない点で上記第１の実施形態に係る浄化槽用ブロワ１０と異なる。当該実施形態におけるタンク７２は、コンプレッサ２０上方面の全面を覆っているわけではないが、コンプレッサ２０の中でも一番の音源となるバルブ部２８の上方を覆っているため、コンプレッサ２０から発生する上方向への騒音は十分に低減される。
【００１９】
図５及び図６に示す本発明の第３の実施形態に係る浄化槽用ブロワ８０は、タンク７２の内部に防音材４６をさらに備えている点で上記第２の実施形態に係る浄化槽用ブロワ７０と異なる。防音材４６は、例えばウレタンフォームや不織布といったタンク内部に入れやすい柔軟性の高いものが好ましい。当該実施形態におけるタンク７２は、内部に追加した防音材４６によって、コンプレッサ２０から発生する上方向への騒音を低減する効果が、第２の実施形態と比べ向上している。
【００２０】
図７及び図８に示す本発明の第４の実施形態に係る浄化槽用ブロワ９０は、タンク４２とコンプレッサ２０とが接触するような構造となっている点で上記第１の実施形態に係る浄化槽用ブロワ１０と異なる。当該実施形態におけるタンク４２は、タンク室入り口４４とコンプレッサ吐出口２２とを圧入によって連通することでガスケット４８の部品削減を可能としている。また、タンク４２は圧入によってコンプレッサ吐出口２２に固定されており、防振ゴム９２がタンク４２を固定する必要がないため、防振ゴム９２は防振ゴム３０と比べ材料費削減を可能としている。
【符号の説明】
【００２１】
浄化槽用ブロワ１０；ケーシング１２；ケーシング吐出口１４；フィルタ１６；コンプレッサ２０；コンプレッサ吐出口２２；ピストン２４；可動鉄心２６；バルブ部２８；防振ゴム３０；タンク４２；タンク室入り口４４；防音材４６；ガスケット４８；接続管５０；鉄板６０；ねじ６２；ＡＣプラグ６４；浄化槽用ブロワ７０；タンク７２；浄化槽用ブロワ８０；浄化槽用ブロワ９０；防振ゴム９２
【図１】
2018159365.tif 000003
【図２】
2018159365.tif 000004
【図３】
2018159365.tif 000005
【図４】
2018159365.tif 000006
【図５】
2018159365.tif 000007
【図６】
2018159365.tif 000008
【図７】
2018159365.tif 000009
【図８】
2018159365.tif 000010
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
ピストンの往復動により空気を圧縮するコンプレッサと、
該コンプレッサにより圧縮された空気が流入するように、該コンプレッサと連通するタンクと、
該タンク内部を満たすように配置された柔軟性の高い素材からなる防音材と、
該タンク上面を覆うように配置された鉄板と、
該コンプレッサを覆うケーシングと、を備え、
該タンクは、該コンプレッサの上方面の全面を覆うように配置された、浄化槽用ブロワ。
【請求項２】
該タンクと該コンプレッサとの接続部に、ガスケットを備えた、請求項１に記載の浄化槽用ブロワ。
【請求項３】
該タンクは、該コンプレッサと該タンクとの連通部が圧入され、該コンプレッサと該タンクとが直接接触するよう配置された、請求項１に記載の浄化槽用ブロワ。